Podtech/llm-jp-corpus-v4-ja_patent huggingface dataset:
(57)【要約】      （修正有）【課題】リールシートに装着することで、釣り人の手に不快感がなく負担をかけない握りやすいリールシートサポートを提供する。【解決手段】釣り用リールチートサポートＡはリールをリールシートＣにリールシートのスクリューナットＪを締めて装着した時にリアグリップ側に余るスクリュー部にはめるサポーターＡを装着した。【選択図】図６
0003103755.tif 000002
【実用新案登録請求の範囲】
【請求項１】
釣り用リールをリールシートに固定した時に露出するリアグリップ（Ｈ）側のスクリュー（Ｋ）を覆う筒形の形状で金属や樹脂でできたリールシートサポート
【請求項２】
内部がスクリュー部（Ｋ）に適合するスクリュー（Ｂ）を有す請求項１のリールシートサポート
【考案の詳細な説明】
【技術分野】
【０００１】  本考案は釣り用リールを釣竿に固定するためのリールシートに取り付けるリールシートの付属品に係るものである。
【背景技術】
【０００２】  従来のリールシートはリールをリールシートにスクリューナットＪを締めて装着した時、釣竿のリアグリップ側のスクリューＫが露出する状態になる。釣りをする時、釣り人は片方の手でリールのハンドルを持ち、もう片方の手でリールシート部を握って釣りをすることが多い。また、キャスティングする時は、片方の手でグリップを握り、もう片方の手でリールシート部を握ることが多い。その時、リールシート部を握る方の手に釣竿と釣り用リールの重さがかかる。その際スクリューＫが手に当たり、そのスクリューＫの凹凸とスクリューナットＪとスクリューＫの段差から不快感がある。また、釣竿と釣り用リールの重さがかかっているので、前述したスクリューナットＪの凹凸とスクリューナットＪとスクリューＫの段差は、釣り人への負担を増させる。【０００３】  本考案は、従来の技術の有するこの様な問題点に鑑みてなされたものであり、その目的とするところは、救命胴衣としての役目の他に、釣りをする時などに使用するウエストサポーターの役目をする救命胴衣を提供しようとするものである。
【課題を解決しようとする課題】
【０００３】  釣り人は長時間釣りをすることが多いから、釣具は少しでも違和感のない快適なものが良い。従来のものであると、リールシート部を握って釣りをする時、スクリューナットＪの凹凸とスクリューＫの段差が釣り人の手に当たるため、不快感があり、釣り人の手に負担をかけるばかりでなく、釣り人のやる気を喪失させる虞があった。
【０００４】  本考案は、従来の技術の有するこの様な問題点に鑑みてなされたものであり、その目的とするところは、釣り人が握りやすく快適なリールシートにするためのリールシートのサポートを提供しようとするものである。
【課題を解決するための手段】
【０００５】  上記目的を達成するために、リールをリールシートにリールシートのスクリューナットＡを締めて装着した時に余るスクリュー部ＫにはめるリールシートサポートＡを装着した。
【考案を実施するための最良の形態】
【０００６】  本考案は、従来の技術の有するこの様な問題点に鑑みてなされたものであり、その目的とするところは、釣り人が握りやすく快適なリールシートにするためのリールシートのサポートを提供しようとするものである。
【考案の効果】
【０００７】  本考案のリールシートサポートＡを装着することで、リールシートを握る手に当たる部分には大きな段差がないので、釣竿とリールの重さがかかっても、バランス良く握ることが出来、そして手が痛くなり難い。
また、釣り人はその快適さから長時間釣りを楽しむことが出来、釣果が上がる確率が高くなる。
【図面の簡単な説明】
【図１】本考案のリールシートサポートの正面図である。
【図２】本考案のリールシートサポートの平面図である。
【図３】本考案のリールシートサポートの右側面図である。
【図４】本考案のリールシートサポートを切断線Ｄで切断した断面図である。
【図５】釣竿に本考案のリールシートサポートを装着した状態を示す平面図である。
【図６】本考案のリールシートサポートをリールシートに装着し、スクリューナットを締めた状態を示す平面図である。
【図７】本考案のリールシートサポートをリールシートに装着し、スクリューナットを緩めた状態を示す平面図である。
【図８】本考案のリールシートサポートを装着していないリールシートの平面図である。
【図９】本考案のリールシートサポートとリールを装着したリールシートを手で握っている状態を示した参考図である。
【符号の説明】
Ａ  本考案のリールシートサポート
Ｂ  本考案のリールシートサポートのスクリュー
Ｃ  リールシート
Ｄ  切断線
Ｅ  切断線
Ｆ  切断線
Ｇ  フロントグリップ
Ｈ  リアグリップ
Ｉ  ブランク
Ｊ  スクリューナット
Ｋ  リールシートスクリュー
【図１】
0003103755.tif 000003
【図２】
0003103755.tif 000004
【図３】
0003103755.tif 000005
【図４】
0003103755.tif 000006
【図５】
0003103755.tif 000007
【図６】
0003103755.tif 000008
【図７】
0003103755.tif 000009
【図８】
0003103755.tif 000010
【図９】
0003103755.tif 000011
(57)【要約】      （修正有）【課題】各種結婚式の披露宴及びパーティー会場等においての雰囲気を、ゴボ（特殊遮光板）を使用した光の照射による演出システムにより、新郎新婦の個性を生かし、他の結婚式とを明確に差別する。【解決手段】予め新郎新婦の名前、日付及び新郎新婦が選択又は創造した各種デザイン等を特別注文し製作されたゴボ（特殊遮光板）を、床面又は天井等に設置された灯体に装着し、灯体の光がプレートを透過することにより、入口壁面、会場内壁面、ステージホリゾント面等に映し出される模様は新郎新婦の名前及び各種風景やイメージなどを盛り込んだデザインであるから、その雰囲気は個性的であり、他の結婚式とを明確に差別する。【選択図】図３
0003103752.tif 000002
【実用新案登録請求の範囲】
【請求項１】
各種結婚式の披露宴及びパーティー会場等において、入口壁面、会場内壁面、ステージホリゾント面等に対し、予め新郎新婦の名前、日付及び新郎新婦が選択又は創造した各種デザイン等を特別注文し製作されたゴボと呼ばれる金属、ガラス、フィルム等で作成されたプレートを、床面又は天井等に設置された灯体に装着し、灯体の光がプレートを透過することにより、新郎新婦の名前及び各種デザイン等が照射される演出システム。
【考案の詳細な説明】
【考案の詳細な説明】
【技術分野】
【０００１】本考案は、各種結婚式の披露宴及びパーティー会場等においての雰囲気を個性的にし、他の結婚式とを明確に差別する為のゴボ（特殊遮光板）を使用した光の照射による演出システムに関する。
【背景技術】
【０００２】各種結婚式の披露宴及びパーティー会場等において、従来の光の照射による演出システムは、模様及び色彩を映し出すだけの単なるムードアップに過ぎず、個性的な雰囲気に欠け、他の結婚式との差別化が難しい。
【考案が解決しようとする課題】
【０００３】各種結婚式の披露宴及びパーティー会場等においての雰囲気を、特別注文のゴボ（特殊遮光板）を使用した光の照射による演出システムにより、新郎新婦の個性を生かし、他の結婚式とを明確に差別する。
【課題を解決する為の手段】
【０００４】予め新郎新婦の名前、日付及び新郎新婦が選択又は創造した各種デザイン等を特別注文し製作されたゴボ（特殊遮光板）を、床面又は天井等に設置された灯体に装着し、灯体の光がプレートを透過することにより、入口壁面、会場内壁面、ステージホリゾント面等に映し出される模様は新郎新婦の名前及び各種風景やイメージなどを盛り込んだデザインであるから、その雰囲気は個性的であり、他の結婚式とを明確に差別する。
【実施例】
【０００５】図１に示すようにゴボ（特殊遮光板）と呼ばれるプレートに予め新郎新婦の名前、日付及び新郎新婦が選択又は創造した各種デザイン等を特別注文し製作しておく。【０００６】図２に示すようにデザインされたゴボ（特殊遮光板）を灯体内部に装着することにより、灯体からの光はゴボ（特殊遮光板）を透過し描かれたデザインが外部に照射される。【０００７】図３に示すようにゴボ（特殊遮光板）が装着された灯体を会場入口付近の床又は天井等に設置し、入口壁面に対するように照射することにより、ゴボ（特殊遮光板）のデザインが入口壁面に照射される。【０００８】図４に示すようにゴボ（特殊遮光板）が装着された灯体を会場内の床又は天井等に設置し、ステージホリゾント面又は会場内壁面に対するように照射することにより、ゴボ（特殊遮光板）のデザインが照射される。
【考案の効果】
【０００９】本考案に係わる、各種結婚式の披露宴及びパーティー会場等においてのゴボを使った光の照射による演出システムは、従来の模様及び色彩を映し出すだけの単なるムードアップに過ぎない会場の雰囲気から抜け出し、新郎新婦の個性を生かした雰囲気を創りだし、他の結婚式とを明確に差別する。
【図面の簡単な説明】
【図１】本考案に係わる、ゴボ（特殊遮光板）のサンプル図。
【図２】本考案に係わる、取扱い説明図。
【図３】本考案に係わる、実施例図。
【図４】本考案に係わる、実施例図。
【符号の説明】
１ａ，ｂ，ｃ・・・・ゴボ（特殊遮光板）
２・・・・・・・・・灯体
３・・・・・・・・・ゴボホルダー装着口
４・・・・・・・・・ゴボホルダー
５・・・・・・・・・照射
６・・・・・・・・・レンズ
７・・・・・・・・・電源
８・・・・・・・・・新郎新婦席席
９・・・・・・・・・ステージホリゾント面
１０・・・・・・・・天井
【図１】
0003103752.tif 000003
【図２】
0003103752.tif 000004
【図３】
0003103752.tif 000005
【図４】
0003103752.tif 000006
(57)【要約】      （修正有）【課題】従来にはいろいろなまな板、包丁の収納器具があるが、全面的に充分ではなく、非合理的であり使用するのに不便であった。それを、使いやすく簡便に包丁の収納、取り出しができるようにした、まな板、包丁の収納器具の提供。【解決手段】帯板のＵ字形１を左右２個連結して、そのＵ字形１の中にまな板８を収納できるようにし、Ｕ字形１の前側に３箇所程の包丁受けＡ２、包丁受けＢ３を設け、後側には、壁に接着する吸盤４を２個固定した上下に移動する取付け板５を装置し、左側には刃先の防護枠６を設置したまな板、包丁の収納器具。特に包丁受けＡ２は包丁７の刃が傷まないように、ヘアピン状にして、保持できるようにした。【選択図】図１
0003103753.tif 000002
【実用新案登録請求の範囲】
【請求項１】
帯板のＵ字形１を左右２個連結して、そのＵ字形１の中にまな板８を収納できるようにし、Ｕ字形１の前側に３箇所程の包丁受けＡ２、包丁受けＢ３を設け、後側には壁に接着する吸盤４を２個固定した上下に移動する取付け板５を設置し、左側には刃先の防護枠６を設けた、まな板、包丁の収納器具。
【考案の詳細な説明】
【考案の詳細な説明】
【考案が解決しようとする課題】
【０００１】  従来にはいろいろなまな板、包丁の収納器具があるが、全面的に充分でなく、非合理的であり、使用するのに不便であった。
【課題を解決するための手段】
【０００２】  上記目的を達成するために、左側のＵ字形１の包丁受けＡ２は、包丁７の刃が傷まないようにヘアピン状にし、保持できるようにした。後側には壁に接着する吸盤４を２個固定した上下に移動する取付け板５は、適当な位置に装着することができる。また、左側には刃先の防護枠６を設け安全である。Ｕ字形１の中にはまな板８も収納でき、包丁７の収納、取り出しも簡便にできるようにした。
【考案の効果】
【０００３】  このまな板、包丁の収納器具を使用すれば、これまでより包丁７の刃も傷まなく保持され、また包丁７の収納、取り出しが簡便にでき、調理作業が能率的にできる。
【図面の簡単な説明】
【図１】まな板、包丁の収納器具の斜視図。
【図２】まな板、包丁の収納器具の正面図。
【図３】まな板、包丁の収納器具の正面図のＡ−Ａ’の断面図。
【図４】まな板、包丁の収納器具の正面図のＢ−Ｂ’の断面図。
【符号の説明】
１    Ｕ字形
２    包丁受けＡ
３    包丁受けＢ
４    吸盤
５    取付け板
６    防護枠
７    包丁
８    まな板
９    ステンレス等の壁
１０  調理台等
【図１】
0003103753.tif 000003
【図２】
0003103753.tif 000004
【図３】
0003103753.tif 000005
【図４】
0003103753.tif 000006
(57)【要約】      （修正有）【課題】主として缶などの容器と蓋との間に挿入し、缶と蓋との間の封止性を高めるプラスチックやゴムなどの素材からなるパッキンは容器内の圧力のための変形により封止性が低下する。【解決手段】パッキンの容器の口部分と蓋との間に挟まれる周縁部１よりも内側に屈曲部２を設け、容器内の圧力上昇による蓋とパッキンとの膨らみ変形により、容器の口部分と蓋との間に挟まれている周縁部が内側に引っ張られてずれ、封止性が低下することを防止する。【選択図】図4
0003103707.tif 000002
【実用新案登録請求の範囲】
【請求項１】
缶などの容器の口部分と蓋との間に挿入し、容器と蓋との間の封止性を高めるプラスチックやゴムなどの素材からなるパッキンであって、容器の口部分と蓋との間に挟まれて締め付けられる周縁部よりも内側に１以上の屈曲部を設けたことを特徴とするパッキン。
【考案の詳細な説明】
【技術分野】
【０００１】
本考案は、主として缶などの容器の口部分と蓋との間に挿入し、缶と蓋との間の封止性を高めるプラスチックやゴムなどの素材からなるパッキン関するものである。
【背景技術】
【０００２】
エンジンオイル、ワックス類、塗料、シンナー、食用油など多種類の製品が金属製の缶を容器とし、外周に切り込み溝のある蓋を用いて封止され、その輸送や保管がなされている。缶と蓋との間に通常プラスチック製のパッキンが挿入されその封止性が高められている。
【０００３】
揮発性のある内容物が収納されている場合はもとより、輸送や保管中の外気温によっては容器内の圧力が上昇し蓋部分が内部から押し上げられる場合が発生する。容器と蓋との間の封止性を高めるためのパッキンは通常回転体形状をしており、図８にその断面形状の一例を示す。容器内の圧力上昇によりパッキンを含む蓋部分が内圧によりふくらみ変形し、容器と蓋との間の封止性が損なわれる場合があるのが現状である。
【０００４】
これに対して、特許文献１に示される、蓋の周縁部にカールを設けるなどの工夫をしたものも現れている。
【特許文献１】特開２００３−１２０００号公報
【考案の開示】
【考案が解決しようとする課題】
【０００５】
解決しようとする問題点は、容器の口部分と蓋との間に挿入してその封止性を高めるためのパッキンが、容器の内圧によって蓋と共に変形することにより、その封止性が低下する点である。
【０００６】
図５は従来から用いられているパッキンの正面図、図６は平面図、図７は底面図、図８は断面図である。
【０００７】
容器内の圧力によるパッキンの変形は、中央部分が押し上げられる方向になされる。そのため容器と蓋との間に挟まれているパッキンの周縁部分が内方に引き寄せられ、封止位置からずれることが封止性が低下する原因となる。
【課題を解決するための手段】
【０００８】
課題を解決する手段として、パッキンが内圧によって押し上げられた場合、周縁部を内側に引っ張らないように、屈曲部を設けた。
【考案の効果】
【０００９】
パッキンが内圧によって外方に押し上げられても、屈曲部は弱い力でも変形し得るため、全体の形状が変形した際に、パッキン自体で変形する部分はその屈曲部に限定され、封止に重要な役割を果たしている周縁部分を引っ張ることは発生しない。従って本考案はパッキンによる容器と蓋との間の封止性の内圧による低下を抑止する効果を有する。
【考案を実施するための最良の形態】
【００１０】
これらのパッキンは通常射出成形をもって製造される。屈曲部の数はいくつでもよいが、金型の工作しやすさ、射出成形のしやすさなどから、屈曲部は１つあれば十分である。
【実施例１】
【００１１】
図１に本考案の実施例の正面図を、図２に本考案の実施例の平面図を、図３に本考案の実施例の底面図を、図４に断面を示す。側面は正面と同一となる。
【産業上の利用可能性】
【００１２】
本考案のパッキンは、以上述べたように、大量に使用されている金属性の容器と蓋との間の封止性の向上に益するため、産業上利用されることは明白である。
【図面の簡単な説明】
【００１３】
【図１】本考案によるパッキンの実施例の正面図である。
【図２】本考案によるパッキンの実施例の平面図である。
【図３】本考案によるパッキンの実施例の側面図である。
【図４】本考案によるパッキンの実施例の断面図である。
【図５】従来のパッキンの平面図である。
【図６】従来のパッキンの側面図である。
【図７】従来のパッキンの正面図である。
【図８】従来のパッキンの断面図である。
【符号の説明】
【００１４】
１    周縁部
２    屈曲部
【図１】
0003103707.tif 000003
【図２】
0003103707.tif 000004
【図３】
0003103707.tif 000005
【図４】
0003103707.tif 000006
【図５】
0003103707.tif 000007
【図６】
0003103707.tif 000008
【図７】
0003103707.tif 000009
【図８】
0003103707.tif 000010
(57)【要約】      （修正有）【課題】着物着付けの仕上げと帯結びを楽に速く綺麗にする為に使用すれば便利な専用箆を提供する。【解決手段】一本の竹製の板の両先端を異なった暑さと幅と丸みをもたせ、それをそれぞれ使うことにより指先に過大な負担をかけずに着物のしわを寄せたり、たるみを入れたり、帯結びを整えたりする事が楽に速く綺麗に出来、又着物や帯を傷める虞もなく、その上着物着付けの場にも違和感無く使用できるようにした専用箆である。【選択図】図１
0003103750.tif 000002
【実用新案登録請求の範囲】
【請求項１】
竹製の長さ２３ｃｍの板で中央を握りやすくして、その両先端は厚さと丸みと幅の異なったヘラ状の形態とし、着物着付け時に使用すれば便利な補助具となる着物着付け専用篦。
【考案の詳細な説明】
【技術分野】
【０００１】  本考案は、着物着付け時の仕上げと帯結びを楽に早く綺麗にするための用具。
【背景技術】
【０００２】  着物着付け時や帯結び時には手首や手先に過大な負担がかかる為、バターナイフやスプーン等の調理器具を便宜的に使用している事が多い。
【考案が解決しようとする課題】
【０００３】  着物着付けや帯結びを何人にも続けて実施すると、指先が痛んだり感覚が無くなったり、爪が割れたりする。その防止として調理器具（バターナイフやスプーンなど）等を使用しているが、金属製の為、誤って着物や帯を傷める虞もある。又、それらは着物着付けという場にそぐわない。これらの事情等を解決しようとして考案した。
【課題を解決するための手段】
【０００４】  着物着付けの仕上げを手首や指先に負担をかけず美しく仕上げたり、又楽に速く仕上げる為、中央に握り部分があり、上下に丸みと厚さ、巾の異なる着物専用箆を考案した。
【考案の効果】
【０００５】  専用箆を使用することにより、着物着付け時に出来る胸元や背中のシワを取ったり、オハショリの仕上げを綺麗にする事が簡単に出来、さらに帯上げの仕上げも楽に出来る。又、帯を結ぶ時、帯のヒダを整えたり、羽根を添わせたり、指先の入りにくい所の補正も楽に出来、手首や指先、爪などの負担が無くなる。その上、着物着付けという場にも違和感を生じさせない。
【考案を実施する為の最良の形態】
【０００６】  箆の一方の先は丸みと厚みをもった扁平な形態とし、着物着付け時に生じたシワやタルミを帯との間に差し込む事により、補正が楽に出来るようにする。もう一方の先は中央の握り部分から先を細く小さめの形態とし、帯を結ぶ時、指先の入りにくいところに差し込んで、帯の補正や仕上がりが綺麗に楽に、速く出来るようにした。さらにこの箆の中央の天地に帯等の長さや近衝が計れるよう物差しメモリーを刻んでいる。
【図面の簡単な説明】
【０００７】〔１〕ヘラの平面図である。
【符号の説明】
【０００８】１  長さ２３ｃｍ
２  握る所、幅３ｃｍ、厚さ３ｍｍ
３  大きいヘラ
４  小さいヘラ
５  大きいヘラの先から１８ｃｍと２０ｃｍを表示する目盛り。
【図１】
0003103750.tif 000003
(57)【要約】【課題】この考案は、誰にでも安全かつ簡単確実に植物を育てることができる、底面吸水用の園芸鑑賞鉢に関するものである。【解決手段】底面給水方式を採用し、上部にすべり止め（２）と低部に吸水ひも（５）を取り付けたプラスチック製の中鉢（６）を透明な貯水機能を備えた外鉢（１）に、差し込むことにより組み合わせる。さらに吸水ひも（５）下部に重り（４）を取り付ける。【選択図】図１
0003103798.tif 000002
【実用新案登録請求の範囲】
【請求項１】
プラスチック製の中鉢（６）に、透明な素材で出来た貯水機能を備えた外鉢（１）を組み合わせた底面給水用の園芸鑑賞鉢で、中鉢（６）の上部外側に四角い突起のすべり止め（２）を設けことを特徴とする底面給水用の園芸鑑賞鉢。
【請求項２】
前記中鉢の底穴（３）に取り付けられた吸水ひも（５）の下部に重り（４）を取り付けたことを特徴とする請求項１記載の底面給水用の園芸鑑賞鉢。
【考案の詳細な説明】
【考案の詳細な説明】
【技術分野】
【０００１】        この考案は、底面給水方式を利用した底面給水用の園芸鑑賞鉢に関するものである。
【背景技術】
【０００２】        従来、植物の管理を省力化または最適化する事を目的とした、鉢の下部に貯水機能を備えた外鉢を持ったひも給水方式の鉢は多くある。これは図２に示すように、中鉢または内体として利用されているものが貯水機能を備えた外鉢（１）に入った状態に配置されている。
貯水槽の上部より中鉢（６）の上部が高く配置されている状態においては、潅水などで中鉢を持ち上げる時に上部外側を持つ事になる。よって内鉢がプラスチックなどすべり易い材質で出来ている場合、滑りやすく持ちにくい欠点があった。【０００３】また従来、図３に示すように、貯水槽の上部より中鉢の上部が同じか低く配置されている状態においては、中鉢は貯水槽の内側に有るため中鉢を持ち上げにくかった。または中鉢に接続された状態の、持ち上げる為の構造物（７）を取り付ける必要があった。【０００４】また従来、中鉢の底穴に取り付けられた吸水ひもが塗れている場合、吸水ひもが貯水機能を備えた外鉢の内面に貼り付きうまく給水できない事があった。
【考案が解決しようとする課題】
【０００５】      本案は、その欠点を除いて、滑りにくく持ちやすい構造で確実に給水できる底面給水用の園芸鑑賞鉢を開発しようとするものである。
【課題を解決するための手段】
【０００６】      いまその解決手段を図１に追いながら説明すれば、プラスチック製の中鉢（６）に、透明な素材で出来た貯水機能を備えた外鉢（１）を組み合わせた底面給水用の園芸鑑賞鉢で、
イ）中鉢（６）の上部外側に四角い突起を複数貼り付けたすべり止め（２）を設け、
ロ）中鉢（６）の底穴に吸水ひも（５）を取り付ける。
ハ）吸水ひも（５）の下部に重り（４）を取り付ける。
以上の構成からなる底面給水用の園芸鑑賞鉢である。
【考案を実施するための最良の形態】
【０００７】      本案は、以上のような構造であるから、これを使用するときは、中鉢（６）と貯水機能を備えた外鉢（１）は通常あらかじめ組み合わせて販売提供され、利用者は潅水時にまず中鉢（６）を取り出した後、貯水機能を備えた外鉢（１）の中に中鉢の底面より適度な空間が空く分量を注水する。中鉢を貯水機能を備えた外鉢（１）に戻し、水に接した吸水ひもの毛管現象によって中鉢へと給水される。
また中鉢上部の外側には滑り止め（２）が付いており、中鉢が貯水機能を備えた外鉢（１）に入り込んでしまうのを防ぐ。注水時にはすべり止め（２）をつまみ、容易に中鉢を取り出すことができる。【０００８】        なお、本考案の実施にあたって次の如きができる。
すべり止め（２）の四角い突起を円形または楕円形の突起やひも状のもので作る事もできる。
また重り（４）は吸水ひも（５）の任意の位置に一個または複数つけても同様の効果が得られる。
すべり止め（２）と重り（４）は装飾的な素材で作ることによって、より魅力的な商品にすることが出来る。
【考案の効果】
【０００９】      この実施形態によれば、すべり止め（２）の働きで、中鉢をつかんだ時に滑りにくい。したがって、中鉢を持ちやすいく安全に潅水が出来る。また中鉢の低穴に取り付けられた重りの作用で、吸水ひもが貯水槽の内面に張り付くのを防ぐことができる。また貯水機能を備えた外鉢が透明体で出来ているため、潅水の時期が解りやすくい。
これらのことから簡単で確実に植物を育てることができる。
【図面の簡単な説明】
【図１】    本考案の断面図
【図２】    中鉢が貯水機能を備えた外鉢より高く設置された断面図である。
【図３】    中鉢が貯水機能を備えた外鉢と同じ高さに設置された断面図である。
【符号の説明】
１  貯水機能を備えた外鉢          ２  突起（すべり止め）
３  底穴                          ４  重り
５  吸水ひも                      ６  中鉢
７  中鉢を持ち上げるための構造物
【図１】
0003103798.tif 000003
【図２】
0003103798.tif 000004
【図３】
0003103798.tif 000005
(57)【要約】【課題】コンプレサーと配送管、ヒーター及び端を閉じた無数の空気噴出し口を持つ中空軸の融雪部分の構成により、安定かつ安全性のある屋根融雪機を提供する。【解決手段】コンプレサー（１）に加圧された空気は中空軸（２）を通り、ヒーター（３）で加熱され、端を閉じた無数の空気噴出し口を持つ融雪部の中空軸（４）に接続する。外気温と加熱空気の温度差を利用した融雪を特徴とする。【選択図】図１
0003103799.tif 000002
【実用新案登録請求の範囲】
【請求項１】
コンプレサー（１）に加圧された空気は中空軸（２）を通り、ヒーター（３）で加熱され、端を閉じた無数の空気噴出し口を持つ中空軸（４）に接続された融雪機。
【考案の詳細な説明】
【考案の詳細な説明】
【技術分野】
【０００１】この考案は、空気の温度差を利用した融雪機に関するものである。
【背景技術】
【０００２】従来、人手による除雪が主であった。
【考案が解決しようとする課題】
【０００３】この考案は、高い場所で、しかも危険のない融雪機を開発しようとするものである。
【課題を解決するための手段】
【０００４】コンプレサー（１）に加圧された空気は中空軸（２）を通り、ヒーター（３）で加熱され、端を閉じた無数の空気噴出し口を持つ中空軸（４）に接続する。
本考案は、以上のような構成よりなる融雪機である。
【考案を実施するための最良の形態】
【０００５】以上の構成であるから、装置を稼動させれば融雪が始まる。
【考案の効果】
【０００６】本案は以上のような構成であるから、降雪が予想される場合に装置を稼動させておけば、空気の温度差を利用した融雪が始まる。
しかも危険がない。
【図面の簡単な説明】
【図１】本考案の斜視図である。
【符号の説明】
１はコンプレサー、２は中空軸、３はヒーター、４は融雪軸
【図１】
0003103799.tif 000003
(57)【要約】      （修正有）【課題】水槽及び排水口に形状の恒久的な変更を加えずに、水槽内の水中の排水の位置と方向を制御し、水中の細かく、多数のゴミを除去すること。【解決手段】ただ排水するだけのために平面に開けられた排水口に一時的に突起を付けて、これに可撓性を有するホースをつなぐことにより、排水口の位置を制御し、開閉弁付き調節口と吸入口で排水口の口径により制限を受ける限られた排水流を効率的に利用して、浮遊性の水中ゴミを除去する。【選択図】なし【実用新案登録請求の範囲】
【請求項１】
清掃しようとする水槽の排水口を塞ぐためのドーナッツ型パッキング、その開口部を通してホースを接続するための凸起用かなぐ、その両者を覆うための硬質板、更にこの板を一時的に、強力に固定するための平面吸盤と吸盤を変形させて形を保つためのレバーとドームからなる排水口形状変換部と、ホースのもう片方に取り付けた水量調節管、吸引力を効率よく配分するためのノズルを備えた、排水を利用した無動力の水中掃除器。
【考案の詳細な説明】
【技術分野】
【０００１】
本考案は、水中の掃除用器具に関するものである。
【背景技術】
【０００２】
風呂の浴槽など排水口を備えた水槽に溜まる、又は浮遊するごみを除去するためには、網ですくうか、桶などでくみ出すか、水槽全体の液体を排水して掃除するか、排水栓に穴を空けたものに管を通してそれにホースをつないでそのもう片方から水中のゴミを吸い出すなどの技術が提案されている。
【０００３】
しかし、現存の技術では清掃作業時、一部または全部の見た目ではまだ汚染されていない水をゴミといっしょに排水してしまったり、ホースの方法では、一方の手でゴミを除去しながら、もう片方の手で排水口にホースを固定するか、排水口に予めホースを取り付けるための改造を加えなければならなかったりする。
【特許文献１】実開平６−８５６６１
【考案の開示】
【考案が解決しようとする課題】
【０００４】
解決しようとする問題点は、水中ゴミを除去するとき、同時に排出しなければならない水が多いことと、既知の方法では水中清掃作業が多くの点で制約を受けることである。
【課題を解決するための手段】
【０００５】
本考案は、排水口側のホースの口を吸盤で留められ、かつ、ホースの開口部に二つのギヤを組み合わせた水量調節弁を取り付けることにより、清掃準備から清掃作業、後始末までを、片手で出来ることを最も主要な特徴とする。
【考案の効果】
【０００６】
本考案の水中掃除器具は、従来の排水口の形状を変えることなく設置し、ゴミを除去するための水の排水量を、従来の手法にくらべて少なくできるという利点がある。
【考案を実施するための最良の形態】
【０００７】
水中の排除すべき細かくて多数の物を排除する目的を、無動力で、従来の排水口を利用する形で実現した。
【実施例１】
【０００８】
図１は、本考案装置の全体図であって、１〜８は、排水口にホースを動的に固定する為の排水口形状変換器。また、９は可撓性を有するゴム材又は合成樹脂材によるホース。１０〜１７は排水量を調節したり止めたりする為の調節口。１８〜２０は縦または横に広がる細長い開口部を有した、清掃する部分にあわせて選択する吸入口であり、図２は、排水口形状変換器の下方からの斜視図、図３は排水口形状変換器の断面図、図４は調節口及び吸入口の断面図、そして、図５は調節口内部の歯車と開閉弁の拡大図である。
【０００９】
図において、排水口形状変換器は、２箇所に穴の空いた硬質材料からなる本体硬質板（１）と、穴の１つにホース取り付け口かなぐ（２）を通してこれにホースをつなぎ、ドーナッツ型パッキング（４）を本体底面に密着させ、もう片方の穴の上にドーム部（３）を配し、その中心に設けた円形の穴に下方から平面吸盤（７）を引き上げるための引き上げかなぐ（８）を通し、このかなぐにカムの原理を応用した引き上げレバー（５）を軸（６）で接続している。
【００１０】
調節口は、片方にホースを接続し、もう片方に吸入口を接続するための開口部を持つ筒上の本体（１０）と、その側面の一部に細長い穴を空けて開閉弁操作用歯車（１１）を内側より覗かせ、これを軸（１２）で固定する、更に、開閉弁操作用歯車は、本体内部にて、ゴム材による半月型パッキング（１５）（１６）を挟む円盤と歯車の半分を組み合わせた部品（１４）（１７）により形成された歯車付き開閉弁とかみ合わせ、歯車付き開閉弁は軸（１３）で固定されている。
【００１１】
実施にあたって、まず清掃する部分の形状に合わせて横に広がった開口部を持ち、ゴム材によるブレード部（１９）を持つ吸入口１（１８）又は、縦に広がった開口部を持った吸入口２（２０）を選択し、調節口の開口部に接続する。吸入口を接続しないという選択子もある。開閉弁操作用歯車を回転させて弁を閉じた状態にしておき、排水口変換器のレバーを立てて吸盤を平坦にした上で器具全体を水中に沈める。排水口付近の吸盤を密着させるべき個所のゴミをよけた上で排水口の栓を抜き、速やかに排水口形状変換器のドーナッツ型パッキング部分にて排水口を塞ぎ、レバーを倒して平面吸盤にくぼみを生じさせ、その吸引力で排水口形状変換器を排水口に固定する。調節口を握って、清掃する部分に吸入口を向け、吸入口１を選択した場合はブレード部で、吸入口２を選択した場合はその開口部の側面にて水底に溜まったゴミを掻き集めた上で、調節口を握った手の親指の腹などで操作用歯車を回して弁を開けて水中のゴミを排出する。作業終了後、開閉弁操作用歯車を回転させて弁を閉じた状態にして、排水口変換器のレバーを立てて排水口から装置をはずし、速やかに排水口を栓で塞ぐ。装置を水中から取り出して完了。
【産業上の利用可能性】
【００１２】
特に飲用に供さない水資源の節水。具体的には風呂釜式の風呂などの浴槽水の再使用時、前回使用時に溜まった流動性の垢の清掃ができる。
【図面の簡単な説明】
【００１３】
【図１】水中掃除器全体を示した上方斜視図である。
【図２】排水口変換器の下方斜視図である。
【図３】排水口変換器の断面図である。
【図４】調節口及び吸入口の断面図である。
【図５】調節口内部品の拡大斜視図である。
【符号の説明】
【００１４】
１    排水口変換機本体硬質板
２    ホース取り付けかなぐ
３    ドーム部
４    ドーナッツ型平面パッキング
５    吸盤引き上げレバー
６    吸盤引き上げレバー固定軸
７    平面吸盤
８    吸盤引き上げかなぐ
９    ホース
１０  調節口本体円筒
１１  開閉弁操作用歯車
１２  開閉弁操作用歯車固定軸
１３  開閉弁固定軸
１４  開閉弁回転用歯車１
１５  半月型平面パッキング１
１６  半月型平面パッキング２
１７  開閉弁回転用歯車２
１８  吸入口１
１９  ブレード
２０  吸入口２
【図１】
0003103796.tif 000002
【図２】
0003103796.tif 000003
【図３】
0003103796.tif 000004
【図４】
0003103796.tif 000005
【図５】
0003103796.tif 000006
(57)【要約】【課題】  陶磁器の皿に放熱性を付与して加熱後に素手による取り扱いを可能にする電子レンジ加熱用皿を提供する。【解決手段】  皿底２から側壁３を立ち上げ、同側壁３の外周に把部となる外縁４を形成し、同外縁４には表面側に幅６ｍｍ，深さ３．５ｍｍの溝４ａを外周に沿って形成し、裏面側に幅４ｍｍ，深さ３ｍｍの溝４ｂと幅４．５ｍｍ，深さ２ｍｍの溝４ｃを外周に沿ってそれぞれ形成している。皿底２の下面には脚５を４箇所設ける。【選択図】          図３ 
0003103729.tif 000002
【実用新案登録請求の範囲】
【請求項１】
陶磁器皿の把部となる外縁の片面又は両面に深さ３〜４ｍｍの範囲で且つ幅４〜７ｍｍの範囲の溝を外周に沿って１本又は複数本形成し、溝により外縁の表面積を増加させて放熱性を高めるようにした電子レンジ加熱用皿。
【請求項２】
外縁の溝を上面に１本、下面に２本形成した請求項１記載の電子レンジ加熱用皿。
【請求項３】
陶磁器皿の上面にプラスチック製の蓋を外縁が露出するように脱着自在に取り付けた請求項１又は２記載の電子レンジ加熱用皿。
【考案の詳細な説明】
【技術分野】
【０００１】
本考案は、電子レンジで食材を加熱する際に容器として用いる陶磁器の皿に関し、詳しくは加熱後に把部である外縁を放熱させて素手による取り扱いを可能にする技術に関する。
【背景技術】
【０００２】
従来、皿にのせた食材を電子レンジで加熱後、取り出す際は皿も加熱されているからミトンや布巾を使用して火傷を防止するようにしている。この不便さを解消するために、皿の把部である外縁面に溝を形成して放熱性を高めたプラスチック皿が特許文献１で提案されている。しかし、温めた食材を食する際プラスチック皿のままでは品がなく、陶磁器の皿に一旦移し替える必要があり面倒であった。
【特許文献１】特開平９−２２０１５０号公報
【考案の開示】
【考案が解決しようとする課題】
【０００３】
本考案が解決しようとする課題は、従来のこれらの問題点を解消し、食事に使用する陶磁器の皿に放熱性を付与し、電子レンジで加熱後食材を別の皿に移し替えることなく使用できる電子レンジ加熱用皿を提供することにある。
【課題を解決するための手段】
【０００４】
かかる課題を解決した本考案の構成は、
１）  陶磁器皿の把部となる外縁の片面又は両面に深さ３〜４ｍｍの範囲で且つ幅４〜７ｍｍの範囲の溝を外周に沿って１本又は複数本形成し、溝により外縁の表面積を増加させて放熱性を高めるようにした電子レンジ加熱用皿
２）  外縁の溝を上面に１本、下面に２本形成した前記１）記載の電子レンジ加熱用皿
３）  陶磁器皿の上面にプラスチック製の蓋を外縁が露出するように脱着自在に取り付けた前記１）又は２）記載の電子レンジ加熱用皿
にある。
【考案の効果】
【０００５】
本考案によれば、溝により外縁の表面積が増加して放熱性が高まることで指触可能な温度に抑制され、ミトンや布巾その他器具を使用することなく素手で取り扱いが可能となる。
【考案を実施するための最良の形態】
【０００６】
本考案の陶磁器皿は、溝の深さが３〜４ｍｍの範囲で且つ幅４〜７ｍｍの範囲が望ましい。外縁を除く部分を覆うプラスチック製の蓋を脱着自在に設けると、効率的に短時間に加熱でき、把部である外縁の放熱性を損ねることもない。以下、本考案の実施例を図面に基づいて具体的に説明する。
【実施例１】
【０００７】
図１は実施例の電子レンジ加熱用皿の表側の斜視図、図２は実施例の電子レンジ加熱用皿の裏側の斜視図、図３は実施例の電子レンジ加熱用皿の断面図、図４は実施例の電子レンジ加熱用皿の蓋の説明図である。図中、１は電子レンジ加熱用皿、２は皿底、３は側壁、４は外縁、４ａ〜４ｃは溝、５は脚、６は蓋、Ｆは食材である。
【０００８】
本実施例の電子レンジ加熱用皿１は陶磁器からなり、図１，２に示すように直径１９０ｍｍ，底厚４ｍｍの皿底２から内深２０ｍｍの側壁３を立ち上げ、同側壁３の外周に把部となる外径２４３ｍｍ，縁厚３ｍｍ，リム幅２２ｍｍの外縁４を形成している。重量は５３０ｇである。
【０００９】
外縁４には、図３に示すように表面側に幅Ａ１が６ｍｍ，深さＡ２が３．５ｍｍの溝４ａを外周に沿って形成し、裏面側に幅Ｂ１が４ｍｍ，深さＢ２が３ｍｍの溝４ｂと幅Ｃ１が４．５ｍｍ，深さＣ２が２ｍｍの溝４ｃを外周に沿ってそれぞれ形成している。皿底２の下面には脚５を４箇所設けている。上面にはポリプロピレン製の蓋６を外縁４が露出するように脱着自在に設けられている。
【００１０】
本実施例の電子レンジ加熱用皿１及び比較例１，２の陶磁器の皿に実験用として水を入れて電子レンジで加熱し、完了音後１０秒以内にデジタル温度計測器（佐藤計量器製）を使用して各皿の外縁の温度を検温した。比較例１の皿は外径２６０ｍｍ，内深２１ｍｍ，底厚４．５ｍｍ，縁厚３ｍｍ，リム幅３１ｍｍ，重量５５０ｇである。比較例２の皿は外径２１７ｍｍ，内深３１ｍｍ，底厚４．２ｍｍ，縁厚３．４ｍｍ，リム幅１０ｍｍ，重量４３０ｇである。また、各比較例の皿には実施例と同じ蓋を設けている。結果を以下に示す。
【００１１】
【表１】
0003103729.tif 000003
【００１２】
この結果から明らかなように、本実施例は比較例１，２と比較して５分間加熱しても外縁４の温度は指触可能な６０℃に抑制されており、溝４ａ〜４ｃの放熱作用の効果が証明された。
【産業上の利用可能性】
【００１３】
本考案の電子レンジ加熱用皿は、電子レンジによる加熱の他、その他の電熱機器で加熱する際にも応用でき、効果が発揮される。
【図面の簡単な説明】
【００１４】
【図１】実施例の電子レンジ加熱用皿の表側の斜視図である。
【図２】実施例の電子レンジ加熱用皿の裏側の斜視図である。
【図３】実施例の電子レンジ加熱用皿の断面図である。
【図４】実施例の電子レンジ加熱用皿の蓋の説明図である。
【符号の説明】
【００１５】
１  電子レンジ加熱用皿
２  皿底
３  側壁
４  外縁
４ａ〜４ｃ  溝
５  脚
６  蓋
Ｆ  食材
【図１】
0003103729.tif 000004
【図２】
0003103729.tif 000005
【図３】
0003103729.tif 000006
【図４】
0003103729.tif 000007
(57)【要約】【課題】    新規な風味等を有する麺類を提供する。【解決手段】  小麦の加工粉体と、ダッタンの加工粉体と、煎胡麻と、により麺体を形成してなることを特徴とする麺類。【選択図】      図１
0003103726.tif 000002
【実用新案登録請求の範囲】
【請求項１】
小麦の加工粉体に、ダッタンの粉体と、煎胡麻を練込み麺体を形成してなることを特徴とする麺類
【考案の詳細な説明】
【技術分野】
【０００１】  本考案は、麺類に関するものである。本考案でいう麺類とは、そばめん、うどんめん等の生めん、半生めん、乾燥めん等を指す。
【背景技術】
【０００２】  製麺業界、そば店、うどん店等にあっては、新風味趣向にして美味しい麺類の開発が要請されている。
【考案の開示】
【考案が解決しようとする課題】
【０００３】  本考案の目的は、斯る要請に着目し、本出願人の研究成果により開発された麺類を提供するものである。
【考案を解決するための手段】
【０００４】  本考案は、小麦の加工粉体に、ダッタンの粉体と、煎胡麻を練込み麺体を形成してなることを特徴とする麺類である。
【考案の効果】
【０００５】  本考案は、上記のような解決手段で実施され、以下に記載されるような効果を奏する。
【０００６】  小麦の加工粉体（そば粉）の風味と、ダッタンの加工粉体（ダッタンそば粉）の風味と、煎胡麻の風味が程良くミックスし、食感が良く、健康・栄養食品としての麺体を保有する生麺、半生麺、乾燥麺を得ることができる。
【０００７】  因みに、上記の小麦の加工粉体は、ビタミンＢ１、ビタミンＢ２、ルチン、たんぱく質等の栄養素を含み、上記ダッタン加工粉体は、普通の小麦粉と比べ黄色くやや苦味があるものの、普通のそば粉よりもルチンが多く含まれているため、生活習慣病（狭心症、心筋梗塞等）の予防効果が期待され、煎胡麻自体は、麺体に煎胡麻の香ばしさを付与する。
【考案を実施するための最良の形態】
【実施例】
【０００８】  本考案の実施形態を図１、図２に基き説明すると、図面符号１は本考案に係る麺体を示し、この麺体１は、主原料の小麦の加工粉体２に、ダッタンの加工粉体３と煎胡麻４を練込み製麺することによって形成される。【０００９】  麺体１の製麺に当たっては、小麦の加工粉体９％に対し、ダッタンの加工粉体１％を混合し、それに少量の煎胡麻を加えて製麺される。煎胡麻は、黒胡麻、白胡麻、茶色胡麻を問わない。
なお、麺体の製麺時には、当然のこと乍ら、適量の水、適量の食塩等を加える必要がある。
【産業上の利用可能性】
【００１０】  本考案は、従来の小麦粉を主原料とする生麺、半生麺、乾燥麺では達成できなかった新しい風味感覚を維持し、高栄養を有する麺類を製品化できる。
【図面の簡単な説明】
【００１１】
【図１】  本考案の構成説明図である。
【図２】  図１のＡ−Ａ線拡大断面図である。
【符号の説明】
【００１２】１    麺体
２    小麦の加工粉体
３    ダッタンの加工粉体
４    煎胡麻
【図１】
0003103726.tif 000003
【図２】
0003103726.tif 000004
(57)【要約】      （修正有）【課題】プレイヤーにとって掌になじみ、親指の座りが良く、狙いやすく、インパクト時手がしびれない単面及び両面打ちクラブのグリップをゴム又は類似材料で作る。【解決手段】ゴム又は類似材で製造されたグリップにおいて、グリップ基本円錐面に外接する互いに面対象の一対の外接平面５と基本円錐面に外接する基本円錐面より半径が大きい互いに面対象の一対の円錐面６で囲まれた樽形断面の錐体をグリップ中央部に全長の３０％−７０％にわたって設けた。【選択図】図１
0003103727.tif 000002
【実用新案登録請求の範囲】
【請求項１】
グラウンドゴルフクラブのシャフトに装着されるグリップに於いて、内側にシャフトと勘合する穴を有し、外側の基本形状は上部が太く下部が細い円錐形で、長手方向の中央区間に、基本円錘に外接する互いに面対象な一対の平面と、両平面と交わり基本円錐に外接する互いに面対象な一対の円錐面とで囲まれた樽形断面の錐体を形成し、加肉したことを特徴とするグリップ。
【考案の詳細な説明】
【技術分野】
【０００１】本考案はグラウンドゴルフクラブのシャフト上端に勘合するグリップを握り易く狙い易く且つ打感を良くする形状に関する。
【背景技術】
【０００２】グラウンドゴルフクラブは日本グラウンドゴルフ協会（ＪＧＧＡ）の規則に従って設計製作される、ヘッド本体及びシャフトは木でシャフトの上部に装着されているグリップはゴム又は類似の材質である、グリップの外形は上端が太く下端が細い円錐形であるが、長さ方向の中央区間を削って平面を設け、この平面と打球面との姿勢を関係付けてホールを狙いやすくした例もある。
【考案の開示】
【考案が解決しようとする課題】
【０００３】プレイヤーのスイング即ち変位と力は全てグリップを経てシャフト、ヘッドに伝えられボールを狙ったところまで飛ばすインパクトに変換されるからグリップの形は性能を左右する要因である、良い形の追究即ち両手の掌で包みやすく、親指のすわりが良い、打った時の打感が優れていること、これ等の要求を単面クラブでも両面クラブでも満たすこと。
【課題を解決するための手段】
【０００４】打球はプレイヤーがシャフトを握り運動し打球する単純な運動である、又クラブはシャフトにヘッドが付いている簡単な構造である、しかし狙い通りの方向と距離まで飛ばすことはプレイヤーの技量だけでなくクラブとして満たさなければならない条件がある、先ずクラブの構成部品は全て寸法や重さが計画通りに出来ていて正確に組み立てられていること、中でもプレイヤーがシャフトを握り打球することからわかるようにグリップとシャフトとの勘合及び打球面に対する姿勢の正確さが重要である。グリップは上端が太く下端が細い円錐形が一般的である、この基本円錐に円周方向の角度の案内又は親指の座りを良くする平面部を設けることも知られている、
その方法は円錐体を削る方法と、反対にゴムを加肉する方法とが有るが、衝撃の吸収が良いのは後者である、その詳細な方法は基本円錐面の長さ方向の中央区間に基本円錐面に外切する互いに面対象な一対の平面と、基本円錐面に外切し基本円錐面より半径の大きな互いに面対象な一対の円錐面で囲まれた樽形断面区間を設ける。
【考案の効果】
【０００５】プレイヤーはグリップの平面部に親指を当てるとクラブの姿勢が定まり、強く握っても樽型断面であるから掌に違和感が無いので目的地点の狙いに専念できる、形は対象形で複数の平面部を有するから、単面クラブでも、複数の打球面を有する両面クラブ用にもなる。又単なる円錐形よりゴムの質量が大きいので減衰が効いて打感が優れている。
【考案を実施するための最良の形態】
【０００６】本考案は新しい考え方に基づいて設計されている、即ちグリップの基本外形は円錐面で、長さ方向の中央３０−７０％の区間はこの基本円錐面に外接し互いに面対象な一対の平面、と基本円錐面に外接し基本円錐より大きな半径の互いに面対象な一対の円錐面で囲まれた樽形断面で構成する
【実施例】
【０００７】〔図１〕に基づいて説明すると、１はグリップ基本円錐面、２はグリップ内径円筒面でシャフトと勘合する、３はグリップ大端、４はグリップ小端、５は一対の外接平面、６は一対の外接円錐面、７は大端側形状ぼかし部、８は小端側形状ぼかし部である。
〔図２〕は中央区間の樽形をなす断面図で１は基本円錐、２は内側円筒、５は基本円錐に外接する一対の平面、６は基本円錐に外接する一対の円錐面、を示す。
【産業上の利用可能性】
【０００８】本考案によるグリップは便利さを追究して設計された形であるが材料、成形型、成形作業等は全て従来の物と同じであるから無理なく製造し供給できるうえ、単面クラブ及び両面クラブに使用できる。
【図面の簡単な説明】
【０００９】
【図１】は本案のグリップの全体図、
【図２】は本案のグリップの断面図、である。
【符号の説明】
【００１０】１  グリップ外径基本円錐面
２  グリップ内径円筒面
３．グリップ大端
４、グリップ小端
５  一対の外接平面
６  一対の外接円錐面
７  大端側形状ぼかし部
８  小端側形状ぼかし部
【図１】
0003103727.tif 000003
【図２】
0003103727.tif 000004
(57)【要約】【課題】  飲料用のマイナスイオン発生器であってポットやヤカンの中に入れておくだけで水道水がミネラル水となる。【解決手段】  ステンレス製の容器の中にトルマリンを入れ、ポットやヤカンの中に入れておくだけで、トルマリンから発生するマイナスイオンによって水道水がもつ塩素臭が抜け、ミネラル水となるため水（湯）の活性効果がある。【選択図】  図１
0003103728.tif 000002
【実用新案登録請求の範囲】
【請求項１】
ステンレス製で正三角形の外郭形状であり、この外郭に内接した円形の凹部（１）を形成した２枚の皿状容器Ａ，Ｂを１組とし、一方の皿状容器Ａの凹部底面に多数の小孔（３）を設け、他方の皿状容器Ｂの凹部底面には僅かの小孔（３）を設けることとし、この２枚の皿状容器Ａ，Ｂを向い合せてボルト（５）により接合一体とするに際し、接合部に座金（４）を介して接合することによって隙間Ｔを設け、２枚の皿状容器Ａ，Ｂの凹部によって形成される空室（６）に球状のトルマリンセラミックＫを封入したことを特徴とした飲料水用のマイナスイオン発生器。
【考案の詳細な説明】
【技術分野】
【０００１】
本考案は、ポットやヤカン等の容器に入れて使用する飲料水用のマイナスイオン発生器に関する。
【背景技術】
【０００２】
一般に水道水は浄水場で濾過や沈殿方式で大きな汚れを除去したあと、塩素を使って各種細菌とアンモニア、マンガン、有機物などの除去処理が行われる。このため水道水には塩素臭が残り、水道水をそのまま使用することなく、水道蛇口に浄水器を取付けることが家庭で行われている。
【０００３】
また全く水道水を飲料水として用いずにスーパー等でミネラル水を買い求めて飲用や炊飯用として使用しているのが現況である。
【特許文献１】特開２０００−５１８７０号公報
【考案の開示】
【考案が解決しようとする課題】
【０００４】
しかし、このような水道蛇口に取付ける浄水器は、活性炭のような吸着材を用いた濾過器であって、フィルターによる濾過でフィルターの交換が必要である。
【課題を解決するための手段】
【０００５】
考案者はこの点に鑑み鋭意試験研究を重ねた結果、電気石と呼ばれているトルマリン石がマイナスイオンを発生することを発見した。マイナスイオンは人間の持っている自然治癒力を高める浄化作用があり、水に含浸させることによってミネラルウォーターが作れるものである。
【０００６】
本考案は、このマイナスイオン水を簡単に作る発生器として、ステンレス容器を用い、これを飲料水用のポットやヤカンの底に沈めることによって、ポットやヤカンの水がミネラルの豊富なマイナスイオン水に変化するもので、家庭でも簡単に作ることに成功した。
【考案の効果】
【０００７】
ステンレス容器は錆などに強く清潔なため長時間水の中に入れておいても変化することなく、しかも、ミネラルの豊富な飲料水となるもので、従来の水道蛇口に取付ける浄水器に比較して卓越した作用効果を奏するものである。
【考案を実施するための最良の形態】
【０００８】
添付図面に示すように、本考案の飲料水用のマイナスイオン発生器は、小形であって清潔感のあるステンレス容器のため安心して使用でき、しかも単に水に入れ沈めておくだけでミネラル豊富なマイナスイオン水に変るものである。
【実施例】
【０００９】
図において、図１は正面図を示し、図２は断面図、図３は背面図を示している。図示されているマイナスイオン発生器はステンレス製であって、角を削除した正三角形の外郭形状であって、この外郭に内接した円形の凹部（１）を形成した皿状の容器Ａと、これと同形の皿状容器Ｂの２枚から形成されている。
【００１０】
そしてＡ容器は水の中に沈めたときの表側となるため凹状部（１）の底面に小孔（３）を多数設ける。また裏側となるＢ容器には水の底に接するため小孔（３）の数は僅かに設けるか、または小孔を設けなくともよい。
【００１１】
この２枚の皿状容器Ａ・Ｂの接合に際しては、座金（４）を接合部に挿入介在させてボルト（５）によって接合するもので、座金（４）を介入することによってＡ・Ｂの間に隙間Ｔが形成される。
【００１２】
そして２枚の皿状容器Ａ・Ｂの凹部（１）によって形成される空室（６）に球状のトルマリンセラミックＫを封入するものである。
【００１３】
本考案の容器は、ポットやヤカンの中に沈めておくものでトルマリンセラミックＫから発生するマイナスイオンは、容器Ａの小孔（３）とＡ・Ｂ間の隙間Ｔから発生してポットやヤカンの中の水をミネラル水とすることができる。
【産業上の利用可能性】
【００１４】
マイナスイオン水を飲用することによって種々の治癒効果が知られている現在、家庭で簡単に作れる本考案の飲料水用のマイナスイオン発生器は、広く利用できる可能性は大きい。
【図面の簡単な説明】
【００１５】
【図１】本考案のマイナスイオン水容器の正面図
【図２】断面図
【図３】背面図
【符号の説明】
【００１６】
１  凹部
３  小孔
４  座金
５  ボルト
６  トルマリンセラミック（球状）
Ａ  上皿
Ｂ  下皿
【図１】
0003103728.tif 000003
【図２】
0003103728.tif 000004
【図３】
0003103728.tif 000005